【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
患者の上気道を押し開いて無呼吸を防ぐために加圧された呼吸可能なガスを前記患者に届ける患者インタフェースであって、
一体ロッククリップを有するフレームと、
フレームに対して繰り返し係合可能かつ離合可能であるように前記フレームに取り外し可能に取り付けられるクッションと、
前記ロッククリップに取り外し可能に結合されたヘッドギアアセンブリとを備え、
前記ヘッドギアアセンブリは、
繊維及び発泡体を有するフロントストラップと、
前記フロントストラップに取り付けられ、前記ロッククリップに取り外し可能に結合するヨークとを備え、
前記ヨークは、前記患者インタフェースを前記患者の頭に安定させることを助けるために異なる方向で異なるフレキシビリティを有し、
前記ヨーク及び前記ロッククリップは、前記ヨーク及び前記ロッククリップが互いに結合されたときに、前記患者の顔を収容する前記クッションを調整するために、前記ヨークを回転できるように、且つ、前記ヨークを個別の所定の複数の位置において前記ロッククリップに対してセットできるように構成された歯つき機構を有し、
前記ヨークは、前記ヨークが前記ロッククリップに対して前記所定の複数の位置ではない取り外し位置へと回転されたときに、前記ロッククリップに取り付け可能かつ取り外し可能である、患者インタフェース。
【請求項２】
前記フロントストラップ及びヨークは、前記ヨークが前記フレームに結合され、前記患者インタフェースが前記患者の顔に搭載されているときに、前記患者の頭に対してそれらの位置を維持できるように構成される、請求項１に記載の患者インタフェース。
【請求項３】
前記ヨークは、第一の方向においては、旋回エルボー及び／又は関連する複数の管の重量による変形に耐え、前記第一の方向に略垂直な方向においては柔軟性があるように構成される、請求項１または２に記載の患者インタフェース。
【請求項４】
前記ヘッドギアはさらに、顎ストラップを備える、請求項１から３の何れか一項に記載の患者インタフェース。
【請求項５】
前記患者インタフェースは、額支持部を備えない、請求項１から４の何れか一項に記載の患者インタフェース。
【請求項６】
前記ヨークは、前記フロントストラップと略同一の形状を有し、前記フロントストラップの全長に亘って伸びている、請求項１から５の何れか一項に記載の患者インタフェース。
【請求項７】
前記ヨークは、前記ヘッドギアアセンブリの別のストラップに前記フロントストラップを接続するように構成されたコネクタ素子と一体的に形成される請求項１から６の何れか一項に記載の患者インタフェース。
【請求項８】
前記ロッククリップは、前記フレームの横側に位置し、中央孔と、前記中央孔の軸回りの弧内に位置する複数の歯とを有する、請求項１から７の何れか一項に記載の患者インタフェース。
【請求項９】
前記ヨークは、前記ロッククリップの前記中央孔によって受けられるように構成された保持フランジを有する、請求項８に記載の患者インタフェース。
【請求項１０】
前記保持フランジ及び前記中央孔は、前記保持フランジを前記中央孔に挿入する場合に、前記ロッククリップに対する前記ヨークの回転運動が、前記ヨークを前記ロッククリップに軸方向にロックするようなサイズおよび形状に形成される、請求項９に記載の患者インタフェース。
【請求項１１】
前記ヨークは、前記フロントストラップに縫い合わせによって取り付けられる、請求項１から１０の何れか一項に記載の患者インタフェース。
【請求項１２】
前記フロントストラップは、一対のフロントストラップの１つであり、
前記ヨークは、一対のヨークの１つであり、
前記一対のヨークのそれぞれは、前記一対のフロントストラップのそれぞれに取り付けられる、請求項１から１１の何れか一項に記載の患者インタフェース。
【請求項１３】
前記一対のフロントストラップは、互いに鏡像となるように配置される、請求項１２に記載の患者インタフェース。
【請求項１４】
前記フレームは、前記フレームの両横側にロッククリップを有し、
前記一対のヨークは、前記ロッククリップに対して同じ角度となるように、前記ロッククリップのそれぞれに対して回転可能に調整することができる、請求項１２または１３に記載の患者インタフェース。
【請求項１５】
前記一対のヨークは、前記ロッククリップに対して異なる角度となるように、前記ロッククリップのそれぞれに対して回転可能に調整することができる、請求項１２から１４の何れか一項に記載の患者インタフェース。
【請求項１６】
前記フロントストラップの前記繊維及び発泡体は層状とされる、請求項１から１５の何れか一項に記載の患者インタフェース。
【請求項１７】
前記個別の所定の複数の位置は、前記患者インタフェースが通常の使用状態であるときには選択されない取り外し位置を含む、請求項１から１６の何れか一項に記載の患者インタフェース。
【請求項１８】
前記ヨーク及び前記ロッククリップは、前記ロッククリップに対して前記ヨークを回転及び移動することによって、前記ヨークと前記ロッククリップとの取り付け及び取り外しができるように構成される、請求項１から１７の何れか一項に記載の患者インタフェース。
【請求項１９】
患者の上気道を押し開いて無呼吸を防ぐために加圧された呼吸可能なガスを前記患者に届ける患者インタフェースであって、
本体と、前記本体の両横側に設けられ、一体的に形成された第１のコネクタ部を有するサイドフレーム部材とを含むフレームと、
フレームに対して繰り返し係合可能かつ離合可能であるように前記フレームに取り外し可能に取り付けられるクッションと、
前記フレームの前記第１のコネクタ部に取り外し可能に取り付けられるヘッドギアアセンブリとを備え、
前記ヘッドギアアセンブリは、前記フレームに設けられた前記第１のコネクタ部に取り外し可能に結合されるように適合される第２のコネクタ部を備え、
前記第２のコネクタ部は、前記患者インタフェースを前記患者の頭に安定させるために異なる方向で異なるフレキシビリティを有し、
前記第１のコネクタ部及び第２のコネクタ部は、前記第１のコネクタ部及び前記第２のコネクタ部が互いに結合されたときに、前記第２のコネクタ部を回転して個別の所定の複数の位置において前記第１のコネクタ部に対してセットできるように構成された歯つき機構を有し、
前記個別の所定の複数の位置は、前記患者インタフェースが通常の使用状態であるときには選択されない取り外し位置を含み、
前記第２のコネクタ部は、前記第２のコネクタ部が前記取り外し位置にセットされたときに、前記第１のコネクタ部から取り外し可能である、患者インタフェース。
【請求項２０】
前記第２のコネクタ部は、前記第２のコネクタ部が前記フレームに結合され、前記患者インタフェースが前記患者の顔に搭載されているときに、前記患者の頭に対してその位置を維持できるように構成される、請求項１９に記載の患者インタフェース。
【請求項２１】
前記第２のコネクタ部は、第一の方向においては、旋回エルボー及び／又は関連する複数の管の重量による変形に耐え、前記第一の方向に略垂直な方向においては柔軟性があるように構成される、請求項１９または２０に記載の患者インタフェース。
【請求項２２】
前記ヘッドギアはさらに、顎ストラップを備える、請求項１９から２１の何れか一項に記載の患者インタフェース。
【請求項２３】
前記患者インタフェースは、額支持部を備えない、請求項１９から２２の何れか一項に記載の患者インタフェース。
【請求項２４】
前記第１のコネクタ部は、中央孔と、前記中央孔の軸回りの弧内に位置する複数の歯とを有する、請求項１９から２３の何れか一項に記載の患者インタフェース。
【請求項２５】
前記第２のコネクタ部は、前記第１のコネクタ部の前記中央孔によって受けられるように構成された保持フランジを有する、請求項２４に記載の患者インタフェース。
【請求項２６】
前記保持フランジ及び前記中央孔は、前記保持フランジを前記中央孔に挿入する場合に、前記第１のコネクタ部に対する前記第２のコネクタ部の回転運動が、前記第２のコネクタ部を前記第１のコネクタ部に軸方向にロックするようなサイズおよび形状に形成される、請求項２５に記載の患者インタフェース。
【手続補正２】
【補正対象書類名】明細書
【補正対象項目名】０００３
【補正方法】変更
【補正の内容】
【０００３】
OSAの治療のためのnCPAPの応用は、サリバンによって米国特許第4,944,310号において教示されている。この米国特許をここに完全に援用する。OSAのｎCPAP治療では、加圧された空気あるいは他の呼吸可能なガスを大気圧よりも上に上げた圧力、典型的には４〜２０ｃｍＨ２Ｏで患者の気道入口に供給して、患者の上側の気道を押し開いて無呼吸を防ぐ。